(57)【要約】【課題】漆塗膜が施された有体物の表面を十分に浄化すると共に、その後の有体物の見栄えが美麗なままに維持されるようにする。【解決手段】漆塗膜３が施された有体物の表面浄化艶出し方法であって、まず、漆塗膜３の表面を石油系溶剤により浄化し、次に、漆塗膜３の表面を乾性油によりコーティングする。石油系溶剤をリグロイン、もしくはアルコールとする。乾性油を荏油とする。【選択図】図１
2011031218.tif 000002
【特許請求の範囲】
【請求項１】
漆塗膜が施された有体物の表面浄化艶出し方法であって、
まず、上記漆塗膜の表面を石油系溶剤により浄化し、
次に、上記漆塗膜の表面を乾性油によりコーティングするようにしたことを特徴とする有体物の表面浄化艶出し方法。
【請求項２】
上記石油系溶剤をリグロイン、もしくはアルコールとしたことを特徴とする請求項１に記載の有体物の表面浄化艶出し方法。
【請求項３】
上記乾性油を荏油としたことを特徴とする請求項１、もしくは２に記載の有体物の表面浄化艶出し方法。
【発明の詳細な説明】
【技術分野】
【０００１】
本発明は、風習、儀式や宗教上の古来からの物品など漆塗膜が施された有体物の表面を浄化し、かつ、艶出しするための有体物の表面浄化艶出し方法に関するものである。
【背景技術】
【０００２】
風習として節句に用いられる飾り台や、儀式として祭りに用いられる山車（だし：鉾を含む）や神輿（みこし）などでは、外観上の見栄えが向上し、かつ、寿命が著しく向上するという理由により、その基体の表面に漆を塗布して漆塗膜を形成することが古来より行われている。
【０００３】
一般に、上記漆の天然液は、油中水滴型のエマルジョンであり、ウルシオール（脂質成分）、ゴム質（多糖）、含窒素物（糖蛋白）、ラッカーゼ（酵素）及び水で構成されている。そして、上記漆の天然液が有体物の基体表面に塗布されて乾燥させられることにより、この基体表面に漆塗膜が形成されるようになっている。
【０００４】
下記特許文献１は、上記した飾り台に関するもので、その表面に施した漆塗膜に高級感を持たせるため、上記漆中に乾性油を混入したというものである。つまり、この漆を飾り台の基体表面に塗布すれば、この漆中の乾性油が空気中の酸素と反応して樹脂化し、上記飾り台の表面の艶出しができて、上記高級感が生じることと考えられる。
【先行技術文献】
【特許文献】
【０００５】
【特許文献１】特開平１１−１８９２１号公報
【発明の概要】
【発明が解決しようとする課題】
【０００６】
ところで、上記した飾り台や山車などの有体物は、風習や儀式において年に一度だけ、しかも、短期に用いられることが多く、この後は、収納庫に長期にわたり収納されるものである。このため、この使用による汚れや傷付きはわずかなものであって、艶はほとんどそのまま残されることとなるが、上記した有体物は、歓楽的な催しに用いられるものであって、常に美麗な見栄えであることが望まれる。よって、上記有体物の収納に際しても、その表面の汚れを十分に除去するよう浄化することが望まれる。
【０００７】
そこで、従来では、上記有体物の収納に際し、その表面に付着した汚れである主に油脂分を、アルコールなどの溶剤を用いて十分に除去することが試みられている。
【０００８】
しかし、上記のように溶剤を用いると、この溶剤の量がわずかであるとしても、上記漆塗膜の艶出しに用いられている前記樹脂化している乾性油が上記溶剤により溶解しがちとなる。この結果、この漆塗膜の表面が粗面化してうっすらと白化しがちとなり、これは漆塗膜の艶による見栄えを低下させるものであって好ましくない。
【課題を解決するための手段】
【０００９】
本発明は、上記のような事情に注目してなされたもので、本発明の目的は、漆塗膜が施された有体物の表面を十分に浄化すると共に、その後の有体物の見栄えが美麗なままに維持されるようにすることである。
【００１０】
請求項１の発明は、漆塗膜３が施された有体物の表面浄化艶出し方法であって、
まず、上記漆塗膜３の表面を石油系溶剤により浄化し、
次に、上記漆塗膜３の表面を乾性油によりコーティングするようにしたことを特徴とする有体物の表面浄化艶出し方法である。
【００１１】
請求項２の発明は、上記石油系溶剤をリグロイン、もしくはアルコールとしたことを特徴とする請求項１に記載の有体物の表面浄化艶出し方法である。
【００１２】
請求項３の発明は、上記乾性油を荏油としたことを特徴とする請求項１、もしくは２に記載の有体物の表面浄化艶出し方法である。
【００１３】
なお、この項において、上記各用語に付記した符号や図面番号は、本発明の技術的範囲を後述の「実施例」の項や図面の内容に限定解釈するものではない。
【発明の効果】
【００１４】
本発明による効果は、次の如くである。
【００１５】
請求項１の発明は、漆塗膜が施された有体物の表面浄化艶出し方法であって、
まず、上記漆塗膜の表面を石油系溶剤により浄化し、
次に、上記漆塗膜の表面を乾性油によりコーティングするようにしている。
【００１６】
このため、上記漆塗膜の表面の浄化に石油系溶剤が用いられたことにより、この漆塗膜の表面に付着している特に油脂族系の汚れの除去がより確実に達成され、よって、有体物の表面が十分に浄化される。
【００１７】
また、上記のように有体物の表面の浄化に溶剤を用いた場合には、この溶剤が、漆塗膜に混入されて樹脂化しているこの漆塗膜の表面の乾性油を溶解して、この漆塗膜の表面を粗面化しがちである。
【００１８】
しかし、前記した溶剤による汚れの除去後には、上記漆塗膜の表面を乾性油によりコーティングするため、このコーティングした乾性油が上記漆塗膜の表面の粗面化した乾性油と互いに一体化しつつ平滑となるよう空気中の酸素と反応して樹脂化するため、漆塗膜の表面の艶出しが達成される。よって、上記した有体物の表面の浄化後のこの有体物の見栄えは美麗なままに維持される。
【００１９】
請求項２の発明は、上記石油系溶剤をリグロイン、もしくはアルコールとしている。
【００２０】
このため、有体物の使用などにより、この有体物の表面に汚れが付着したとき、この汚れの量や性質（無極性、極性）に照らして上記リグロインとアルコールとのうち、いずれか適正なものを選択すればよい。そして、この選択によれば、上記漆塗膜の表面が上記溶剤より無用に粗面化することを抑制しつつ、有体物の表面を十分に浄化させることができる。
【００２１】
請求項３の発明は、上記乾性油を荏油としている。
【００２２】
ここで、上記荏油は、乾性油のうち、特に、漆塗膜の表面の艶出しに有効な極性の植物油であるため、上記荏油を用いることにより、上記有体物の見栄えをより美麗にすることができる。
【図面の簡単な説明】
【００２３】
【図１】有体物の一例としての山車の正面図である。
【発明を実施するための形態】
【００２４】
本発明の有体物の表面浄化艶出し方法に関し、漆塗膜が施された有体物の表面を十分に浄化すると共に、その後の有体物の見栄えが美麗なままに維持されるようにする、という目的を実現するため、本発明を実施するための形態は、次の如くである。
【００２５】
即ち、漆塗膜が施された有体物の表面浄化艶出し方法であって、
まず、上記漆塗膜の表面を石油系溶剤により浄化し、
次に、上記漆塗膜の表面を乾性油によりコーティングするようにしている。
【実施例】
【００２６】
本発明をより詳細に説明するために、その実施例を添付の図に従って説明する。
【００２７】
図において、符号１は、山車で例示される有体物である。この有体物１の基体２は木製であって、この基体２の表面には漆塗膜３が施されている。この漆塗膜３には荏油（えのあぶら、エゴマ油：ヨウ素価１９０〜２１５）、亜麻仁油（あまにゆ、アマ油：ヨウ素価１７５〜１９５）、桐油（とうゆ、アブラギリ油：ヨウ素価１６０〜１７５）などの乾性（植物）油が混入されており、この混入の後、空気中の酸素と酸化重合反応することにより樹脂化され、これにより、漆塗膜３の艶出しが可能とされている。また、この有体物１を使用したことにより、上記漆塗膜３の表面には、わずかな汚れ４が付着している。
【００２８】
上記有体物１の表面の汚れ４を十分に除去するよう浄化し、かつ、改めて上記漆塗膜３の艶出しをするための方法につき、以下説明する。
【００２９】
まず、上記漆塗膜３の表面を石油系溶剤により浄化して、乾燥させる。
【００３０】
具体的には、上記汚れ４が無極性（親水性）である石油系の場合や、上記有体物１の使用により、より多く付着すると考えられる極性（疎水性）である動植物油のような脂肪族系の場合には、いずれにしても、上記溶剤のうち、特にリグロインにより上記汚れ４を除去して漆塗膜３の表面を浄化する。上記リグロインは、工業ガソリンの一種で、沸点が６０〜１１０℃の無色透明の石油製品であり，ベンジンの概念に含まれるものである。
【００３１】
上記リグロインにより汚れ４を除去する場合には、まず、このリグロインを可撓性の多孔吸湿体６に含ませる。そして、このようにリグロインを含んだ多孔吸湿体６により上記漆塗膜３の表面を拭き上げるようにして、上記汚れ４を拭き取る。上記多孔吸湿体６は脱脂綿が好ましいが、スポンジや、不織布などの布を重ね合わせたり、塊状にさせたりしたものであってもよい。
【００３２】
上記多孔吸湿体６による汚れ４の拭き取りの際、リグロインの蒸発速度は上記溶剤であるアルコールよりも遅いが、乾きが速いため、上記漆塗膜３の表面を、上記多孔吸湿体６を滑らすよう、かつ、漆塗膜３の表面に対し部分的な負荷を与えないようにして上記汚れ４を素早く拭き取ることが好ましい。
【００３３】
ここで、上記したように漆塗膜３の表面から汚れ４を除去するためのリグロインは、漆塗膜３に混入されて樹脂化しているこの漆塗膜３の表面の乾性油を溶解して、この漆塗膜３の表面を粗面化させがちである。
【００３４】
そこで、上記のようにして汚れ４を除去した漆塗膜３の表面を前記したと同様の乾性油により薄くコーティングする。この乾性油は、前記荏油であることが好ましい。また、上記乾性油をコーティングする場合、この乾性油を上記多孔吸湿体６と同じ構成の多孔吸湿体に含ませる。そして、このように乾性油を含んだ多孔吸湿体を、上記漆塗膜３の表面を滑らすように移動させて、上記乾性油を上記漆塗膜３の表面に薄く滑らかに塗り付ける。また、この場合、上記多孔吸湿体により余分のリグロインを拭き取ればよい。
【００３５】
すると、上記乾性油は、経時的に空気中の酸素と酸化重合反応することにより樹脂化し、この際、上記漆塗膜３の表面に混入されている乾性油と一体化し、全体的に固化させられる。これにより、上記漆塗膜３の表面の艶出しが可能とされる。
【００３６】
なお、上記汚れ４が無極性と極性とのうち、いずれであるとしても、上記溶剤としてリグロインに代えアルコールを用いれば、上記リグロインに比べて汚れ４の除去がより確実に達成される。
【００３７】
しかし、上記アルコールによれば、上記リグロインに比べ漆塗膜３の表面の乾性油がより溶解して、この漆塗膜３の表面がより粗面化しがちとなる。
【００３８】
このため、その後における上記漆塗膜３の表面に対する乾性油によるコーティングは、より厚くすることが好ましい。
【００３９】
上記構成によれば、漆塗膜３が施された有体物の表面浄化艶出し方法であって、
まず、上記漆塗膜３の表面を石油系溶剤により浄化し、
次に、上記漆塗膜３の表面を乾性油によりコーティングするようにしている。
【００４０】
このため、上記漆塗膜３の表面の浄化に石油系溶剤が用いられたことにより、この漆塗膜３の表面に付着している特に油脂族系の汚れ４の除去がより確実に達成され、よって、有体物１の表面が十分に浄化される。
【００４１】
また、上記のように有体物１の表面の浄化に溶剤を用いた場合には、この溶剤が、漆塗膜３に混入されて樹脂化しているこの漆塗膜３の表面の乾性油を溶解して、この漆塗膜３の表面を粗面化しがちである。
【００４２】
しかし、前記した溶剤による汚れ４の除去後には、上記漆塗膜３の表面を乾性油によりコーティングするため、このコーティングした乾性油が上記漆塗膜３の表面の粗面化した乾性油と互いに一体化しつつ平滑となるよう空気中の酸素と反応して樹脂化するため、漆塗膜３の表面の艶出しが達成される。よって、上記した有体物１の表面の浄化後のこの有体物１の見栄えは美麗なままに維持される。
【００４３】
ここで、上記したように漆塗膜３の表面を乾性油によりコーティングした場合、これに光を当てたり、雰囲気温度を上げれば、上記反応を促進させることができる。
【００４４】
また、前記したように、石油系溶剤をリグロイン、もしくはアルコールとしている。
【００４５】
このため、有体物１の使用などにより、この有体物１の表面に汚れ４が付着したとき、この汚れ４の量や性質（無極性、極性）に照らして上記リグロインとアルコールとのうち、いずれか適正なものを選択すればよい。そして、この選択によれば、上記漆塗膜３の表面が上記溶剤より無用に粗面化することを抑制しつつ、有体物１の表面を十分に浄化させることができる。
【００４６】
また、前記したように、乾性油を荏油としている。
【００４７】
ここで、上記荏油は、乾性油のうち、特に、漆塗膜３の表面の艶出しに有効な極性の植物油であるため、上記荏油を用いることにより、上記有体物１の見栄えをより美麗にすることができる。
【００４８】
なお、以上は図示の例によるが、上記有体物１は、風習として節句に用いられる飾り台、儀式として祭りに用いられり神輿、宗教用の仏像、仏壇、仏具、また、建物である社寺などであってもよい。
【００４９】
また、上記漆塗膜３の表面への乾性油のコーティングは、スプレーによってもよい。
【符号の説明】
【００５０】
１    有体物
２    基体
３    漆塗膜
４    汚れ
６    多孔吸湿体
【図１】
2011031218.tif 000003